【手続補正書】
【提出日】平成23年12月27日(2011.12.27)
【手続補正１】
【補正対象書類名】特許請求の範囲
【補正対象項目名】請求項１
【補正方法】変更
【補正の内容】
【請求項１】
可変カットオフ印刷機において、
第１の版胴と、
該第１の版胴の周囲に配置された、第１の印像部分を有する第１の刷版と、
第１の位置においてウェブに第１の印像部分を転写する第１のブランケット胴と、
第２の版胴と、
該第２の版胴の周囲に配置された、第２の印像部分を有する第２の刷版と、
第２の位置においてウェブに第２の印像部分を転写する第２のブランケット胴と、
ウェブを介して第１のブランケット胴及び第２のブランケット胴に接触する圧胴とが設けられており、
第１の印像部分と第２の印像部分とが、印像カットオフ長さを有する第１の連続した印像を形成することを特徴とする、可変カットオフ印刷機。
【手続補正２】
【補正対象書類名】特許請求の範囲
【補正対象項目名】請求項１２
【補正方法】変更
【補正の内容】
【請求項１２】
第１の刷版を、取り外し、第１の印像部分とは異なる長さの第１の交換印像部分を有する第１の交換刷版と交換することができ、第２の刷版を、取り外し、第２の印像部分とは異なる第２の交換印像部分を有する第２の交換刷版と交換することができ、
第１の交換印像部分と第２の交換印像部分とが、印像カットオフ長さとは異なる交換印像カットオフ長さを有する１つの連続した交換印像を形成する、請求項１記載の可変カットオフ印刷機。
【手続補正３】
【補正対象書類名】特許請求の範囲
【補正対象項目名】請求項１４
【補正方法】変更
【補正の内容】
【請求項１４】
可変カットオフオフセット印刷機を使用してカットオフを備えた印像をウェブに印刷する方法において、
第１のブランケット胴が圧胴と接触していない間に前記第１のブランケット胴の位置を動的に調節するステップと、
第２のブランケット胴が圧胴と接触していない間に前記第２のブランケット胴の位置が動的に調節されながら、第１のブランケット胴を圧胴と接触させ、第１の版胴の第１の刷版によって第１のブランケット胴に転写された第１の印像部分をウェブに印刷するステップと、
第２のブランケット胴を圧胴と接触させ、第１の印像カットオフ長さを有する連続した印像をウェブに形成するために、第１の印像部分と整合させられたウェブ上の位置において、第２の版胴の第２の刷版によって第２のブランケット胴に転写された第２の印像部分を印刷するステップと、
第１の刷版を取り外し、該第１の刷版を、第１の交換印像部分を有する第１の交換刷版と交換し、第２の刷版を取り外し、該第２の刷版を、第２の交換印像部分を有する第２の交換刷版と交換するステップと、
第１の交換印像部分と第２の交換印像部分とが、第２の印像カットオフ長さを有する連続した交換印像をウェブに形成するように、第１の交換印像部分を第１のブランケット胴に転写し、第１の交換印像部分をウェブに印刷し、第２の交換印像部分を第２のブランケット胴に転写し、第２の交換印像部分をウェブに印刷するステップとを有することを特徴とする、可変カットオフオフセット印刷機を使用してカットオフを備えた印像をウェブに印刷する方法。
【手続補正４】
【補正対象書類名】明細書
【補正対象項目名】０００５
【補正方法】変更
【補正の内容】
【０００５】
発明の簡単な概要
第１の版胴の周囲に配置されておりかつ第１の印像部分を有する第１の刷版を備えた第１の版胴を有する可変カットオフ印刷機が提供される。第１のブランケット胴は、第１の位置において第１の印像部分をウェブに転写する。第２の印像部分を有する第２の刷版が、第２の版胴の周囲に配置されている。第２のブランケット胴は、第２の位置において第２の印像部分をウェブに転写する。圧胴は、ウェブを介して第１のブランケット胴及び第２のブランケット胴に接触している。第１の印像部分及び第２の印像部分は、印像カットオフ長さを有する第１の連続した印像を形成する。
【手続補正５】
【補正対象書類名】明細書
【補正対象項目名】０００６
【補正方法】変更
【補正の内容】
【０００６】
可変カットオフオフセット印刷機を使用してカットオフを備えた印像をウェブに印刷する方法が提供され、この方法は、第１のブランケット胴が圧胴と接触していない時に第１のブランケット胴の位置を動的に調節するステップと、第１のブランケット胴を圧胴と接触させて、第２のブランケット胴が圧胴と接触していないときに第２のブランケット胴の位置が動的に調節させられながら、第１の版胴の第１の刷版によって第１のブランケット胴に転写された第１の印像部分をウェブに印刷するステップと、第１の印像カットオフ長さを有する連続した印像をウェブ上に形成するために、第２のブランケット胴を圧胴と接触させて、第２の版胴の第２の刷版によって第２のブランケット胴に転写された第２の印像部分を、第１の印像部分と整合させられたウェブ上の位置において印刷するステップと、第１の刷版を取り外して、第１の刷版を、第１の交換印像部分を有する第１の交換刷版と交換しかつ第２の刷版を第２の交換印像部分を有する第２の交換刷版と交換するステップと、第１の交換印像部分及び第２の交換印像部分が、第２の印像カットオフ長さを有する印像をウェブ上に形成するように、第１の交換印像部分を第１のブランケット胴に転写し、第１の交換印像部分をウェブに印刷し、第２の交換印像部分を第２のブランケット胴に転写し、第２の交換印像部分をウェブに印刷するステップと、を有する。
【手続補正６】
【補正対象書類名】明細書
【補正対象項目名】００３３
【補正方法】変更
【補正の内容】
【００３３】
刷版８０の印刷長さＬPRが刷版８０の刷版長さＬPLの半分よりも小さい状況において（ＬPR＜０．５ＬPL）、胴１８，２０は好適には胴抜きされながら加速される。各胴１８，２０の表面は、印像部分１２１に対して適切な位置に位置するために、ウェブ３０が刷版８０の印刷長さと等しい距離だけ移動するのと同じ時間で、刷版８０の非印刷長さＬNPと等しい距離だけ移動する必要がある。したがって、ウェブ３０は一定のウェブ速度Ｖwで刷版８０の印刷長さＬPRと等しい距離だけ移動するので、胴１８，２０の表面は、刷版８０の印刷長さＬPRで刷版８０の非印刷長さＬNPを割り、ウェブ速度Ｖwを乗じたものと等しい平均胴抜き速度ＶCave（ＶCave＝（ＬNP／ＬPR）・Ｖw；なぜならばＬPR／Ｖw＝ＬNP／ＶCaveである）で、刷版８０の非印刷長さＬNPと等しい距離だけ移動しなければならない。印刷対１９が胴抜きされかつ胴１８，２０は常に胴抜きされながら加速及び減速されるので、各胴１８及び２０の表面が、刷版８０の印刷長さＬPRの半分に等しい距離だけ移動した時に最大胴抜き速度ＶＣmaxに到達した場合、胴１８，２０の最大胴抜き速度ＶCmaxは、各胴１８，２０の表面の平均速度の２倍からウェブ速度Ｖwを引いたものに等しい（ＶCmax＝２ＶCave−Ｖw＝２・（ＬNP／ＬPR）・Ｖw−Ｖw）。
【手続補正７】
【補正対象書類名】明細書
【補正対象項目名】００３４
【補正方法】変更
【補正の内容】
【００３４】
刷版８０の印刷長さＬPRが刷版８０の刷版長さＬPLの半分よりも大きいが、刷版８９の刷版長さＬPLの４分の３よりも小さい状況において（０．５ＬPL＜ＬPR＜０．７５ＬPL）、胴１８，２０は好適には胴抜きされながら減速される。各胴１８，２０の表面は、印像部分１２１に対して適切な位置に位置するために、ウェブ３０が刷版８０の印刷長さと等しい距離だけ移動する時間で、刷版８０の非印刷長さＬNPと等しい距離だけ移動する必要がある。したがって、ウェブ３０は、一定のウェブ速度Ｖwで刷版８０の印刷長さＬPRと等しい距離だけ移動するので、胴１８，２０の表面は、刷版８０の印刷長さＬPRで刷版８０の非印刷長さＬNPを割り、ウェブ速度Ｖwを乗じたものに等しい平均胴抜き速度ＶCave（ＶCave＝（ＬNP／ＬPR）・Ｖw；なぜならばＬPR／Ｖw＝ＬNP／ＶCaveである）で、刷版８０の非印刷長さＬNPと等しい距離だけ移動しなければならない。印刷対１９は胴抜きされ、胴１８，２０は胴抜きされた状態で減速及び加速されるので、ウェブ３０が刷版８０の印刷長さＬPRの半分に等しい距離だけ移動した時、各胴１８，２０の表面は最小胴抜き速度ＶCminに達した時、各胴１８，２０の表面の最小胴抜き速度ＶCminは、各胴１８，２０の表面の平均速度の２倍からウェブ速度Ｖwを引いたものに等しい（ＶCmin＝２ＶCave−Ｖw＝２・（ＬNP／ＬPR）・Ｖw−Ｖw）。
【手続補正８】
【補正対象書類名】明細書
【補正対象項目名】００３５
【補正方法】変更
【補正の内容】
【００３５】
刷版８０の印刷長さＬPRが刷版８０の刷版長さＬPLの距離の４分の３以上である（ＬPR≧０．７５ＬPL）状況において、胴１８，２０は好適には胴抜きされた状態で加速される。胴１８，２０の表面は、印像部分１２１を印刷するための適切な位置に位置するように、ウェブ３０が刷版８０の印刷長さと等しい距離だけ移動するのと同じ時間で、刷版８０の非印刷長さＬNPに刷版８０の刷版長さを加えたものと等しい距離だけ移動する必要がある。したがって、ウェブ３０は、一定のウェブ速度Ｖwで、刷版８０の印刷長さＬPRと等しい距離だけ移動するので、胴１８，２０の表面は、刷版８０の印刷長さＬPRで刷版８０の非印刷長さＬNPに刷版長さＬPLを加えたものを割り、ウェブ速度Ｖwを乗じたものと等しい平均胴抜き速度ＶCave（ＶCave＝（ＬPL＋ＬNP／ＬPR）・Ｖw；なぜならばＬPR／Ｖw＝ＬLP＋ＬNP／ＶCaveである）で、刷版８０の非印刷長さＬNPに刷版８０の刷版長さを加えたものに等しい距離だけ移動しなければならない。印刷対１９は胴抜きされ、胴１８，２０は胴抜きされながら減速及び加速されるので、ウェブ３０が刷版８０の印刷長さＬPRの半分に等しい距離だけ移動した時、各胴１８，２０の表面は最大胴抜き速度ＶCmaxに達し、各胴１８，２０の表面の最大胴抜き速度ＶCmaxは、各胴１８，２０の表面の平均速度の２倍からウェブ速度Ｖwを引いたものに等しい（ＶCmax＝２ＶCave−Ｖw＝２・（（ＬNP＋ＬPL）／ＬPR）・Ｖw−Ｖw）。
【手続補正９】
【補正対象書類名】図面
【補正対象項目名】図４
【補正方法】変更
【補正の内容】
【図４】
2011518701.tif 000001
【手続補正１０】
【補正対象書類名】図面
【補正対象項目名】図５
【補正方法】変更
【補正の内容】
【図５】
2011518701.tif 000002
【手続補正１１】
【補正対象書類名】図面
【補正対象項目名】図６
【補正方法】変更
【補正の内容】
【図６】
2011518701.tif 000003
【手続補正１２】
【補正対象書類名】図面
【補正対象項目名】図７
【補正方法】変更
【補正の内容】
【図７】
2011518701.tif 000004